(57)【要約】【課題】患者が実際に病院に出向くことなく、再診が必要であるか否かを病院の医師に判断してもらい、その結果を患者に伝達し再診が必要なときのみに病院に出向くことができ、無駄な労力を患者に強いることのないシステムを提供する。【解決手段】医療検診システムは、診察予約端末１、問診データベース２、各医師端末３、及び問診データ管理端末４の４つの構成部材を、ＬＡＮ回線等の病院内ネットワークで相互接続して構成され、問診データ管理端末４とユーザ端末５を公衆回線で相互接続して構成される。問診データベース２は、病院に訪れて診察／診療した患者に関する個人情報と診察時の問診内容を主として記憶する装置で、各医師端末３は、患者に対する問診項目を入力したり、患者からの問診回答データやカルテ情報を参照するための装置で、問診データ管理端末４は、再診が必要な患者へ問診データを送信したり、患者からの送信される回答データを受信する制御を行う。【選択図】　　　図１
2004029896.tif 000002
【特許請求の範囲】
【請求項１】
初診済みの患者の有する通信端末からインターネット回線等の通信ネットワークを利用し病院側と通信し得る通信手段と、
初診時または前回診察した結果に基づいて医師が作成した最新問診票に対応する最新問診データを再診が必要な患者に前記通信手段を用いて送信する第１手段と、
前記最新問診票を受信した患者に当該最新問診票への回答を促し、前記患者が前記最新問診票に回答した問診回答データを前記病院宛てに前記通信手段を用いて送信する第２手段と、
前記問診回答データを受信した医師が直ちに再診が必要と判断したときに、該当患者宛てに再診必要通知データを前記通信手段を用いて送信する第３手段と、
前記問診回答データを受信した医師が再診の必要がないと判断したときに、該当患者宛てに当面方針通知データを前記通信手段を用いて送信する第４手段と、
前記第１乃至第４手段のそれぞれに基づくデータを格納して診察管理する管理手段とを具備することを特徴とする再診患者の医療検診管理装置。
【請求項２】
初診済みの患者の有する通信端末からインターネット回線等の通信ネットワークを利用し病院側に設けられたホームページに対して通信し得る通信手段と、
初診時または前回診察した結果に基づいて医師が作成した最新問診票に対応する最新問診データを再診が必要な患者に前記通信手段を用いて前記ホームページに掲載する第５手段と、
前記ホームページに掲載された前記最新問診票への回答を促し、前記患者が前記最新問診票に回答した問診回答データを前記ホームページを介して病院側に前記通信手段を用いて送信する第６手段と、
前記問診回答データを閲覧した医師が直ちに再診が必要と判断したときに患者宛ての再診必要通知データを前記ホームページに掲載する第７手段と、
前記問診回答データを前記ホームページを介して閲覧した医師が再診の必要がないと判断したときに、該当患者宛てに当面方針通知データを前記通信手段を用いて前記ホームページに掲載する第８手段と、
前記第５乃至第８手段のそれぞれに基づくデータを格納して診察管理する管理手段とを具備することを特徴とする再診患者の医療検診管理装置。
【請求項３】
前記問診回答データを受信した医師が直ちに再診が必要と判断したときに、該当患者宛てに再診日時予約依頼データを前記通信手段を用いて送信する第９手段と、
前記再診日時予約依頼データを前記通信手段を介して受信した該当患者が再診日時予約設定データを前記病院宛てに前記通信手段を用いて送信する第１０手段とを付加して構成すると共に、
前記管理手段は、前記第９手段と前記第１０手段のそれぞれに基づくデータを格納して診察管理する手段を付加して構成することを特徴とする請求項１に記載の再診患者の医療検診管理装置。
【請求項４】
前記問診回答データを前記ホームページを介して閲覧した医師が直ちに再診が必要と判断したときに、該当患者宛ての再診日時予約依頼データを前記ホームページに掲載する第１１手段と、
前記ホームページに掲載された再診日時予約設定データを閲覧した該当患者が再診日時予約設定データを前記前記ホームページを介して病院宛てに前記通信手段を用いて送信する第１２手段とを付加して構成すると共に、
前記管理手段は、前記第１１手段と前記第１２手段のそれぞれに基づくデータを格納して診察管理する手段を付加して構成することを特徴とする請求項２に記載の再診患者の医療検診管理装置。
【請求項５】
前記再診必要通知データ及び／または前記当面方針通知データは、患者に付与された薬剤の残り状況を加味して形成することを特徴とする請求項１乃至請求項４のいずれかに記載の再診患者の医療検診管理装置。
【請求項６】
初診済みの患者の有する通信端末からインターネット回線等の通信ネットワークを利用し病院側と通信し得る通信ステップと、
初診時または前回診察した結果に基づいて医師が作成した最新問診票に対応する最新問診データを再診が必要な患者に前記通信ステップを用いて送信する第１ステップと、
前記最新問診票を受信した患者に当該最新問診票への回答を促し、前記患者が前記最新問診票に回答した問診回答データを前記病院宛てに前記通信ステップを用いて送信する第２ステップと、
前記問診回答データを受信した医師が直ちに再診が必要と判断したときに、該当患者宛てに再診必要通知データを前記通信手段を用いて送信する第３ステップと、
前記問診回答データを受信した医師が再診の必要がないと判断したときに、該当患者宛てに当面方針通知データを前記通信手段を用いて送信する第４ステップと、
前記第１乃至第４ステップのそれぞれに基づくデータを格納して診察管理する管理ステップとを有することを特徴とする再診患者の医療検診管理方法。
【請求項７】
初診済みの患者の有する通信端末からインターネット回線等の通信ネットワークを利用し病院側に設けられたホームページに対して通信し得る通信ステップと、
初診時または前回診察した結果に基づいて医師が作成した最新問診票に対応する最新問診データを再診が必要な患者に前記通信手段を用いて前記ホームページに掲載する第５ステップと、
前記ホームページに掲載された前記最新問診票への回答を促し、前記患者が前記最新問診票に回答した問診回答データを前記ホームページを介して病院側に前記通信手段を用いて送信する第６ステップと、
前記問診回答データを閲覧した医師が直ちに再診が必要と判断したときに患者宛ての再診必要通知データを前記ホームページに掲載する第７ステップと、
前記問診回答データを前記ホームページを介して閲覧した医師が再診の必要がないと判断したときに、該当患者宛てに当面方針通知データを前記通信手段を用いて前記ホームページに掲載する第８ステップと、
前記第５乃至第８ステップのそれぞれに基づくデータを格納して診察管理する管理ステップとを有することを特徴とする再診患者の医療検診管理方法。
【請求項８】
前記再診必要通知データ及び／または前記当面方針通知データは、患者に付与された薬剤の残り状況を加味して形成することを特徴とする請求項７または請求項８に記載の再診患者の医療検診管理方法。
【発明の詳細な説明】
【０００１】
【発明の属する技術分野】
本発明は、病院において初診を受けた患者が再診を受ける際の管理を効率的に行う再診患者の医療検診管理装置及び方法に関する。
【０００２】
【従来の技術】
一般的に、病気にかかった患者が医師の診察を受ける場合、患者は、病院に出向いて自己の症状を医師に直接、または問診票に記入することによって医師に伝え、医師が患者の症状を実際に調べることによって、病気の種類（内容）を知ってその病気の治療を行うと共に、患者に対処方法を知らせ、必要に応じて飲み薬や塗り薬等の薬剤を与え、その薬剤の使用方法、例えば飲み薬である場合には、服用を食前、食後、所定時間毎等の用法を守るように説明する。
【０００３】
病院で診察／診療を受ける場合には、初診時に診察／治療が完了するということは稀であって、大部分は治療後の経過や薬など服用後の症状確認のために再度病院に出向くことになるが、数時間も病院の待合室で待たされても、数分足らずの症状確認で診察／診療が終了する場合が殆どであり、次回には何日か後に再度病院に行かなければならない場合もある。
【０００４】
そのため実際に病院に出向かなくても患者宅での診察の予約確認、自動予約化や症状確認を簡単に行える医療検診システムが、例えば特開２００１−３３１５７９に開示されていて、患者宅から病院に出向かなくても診察予約を確認することができ、予約の実行、患者の症状情報を病院（医師）に伝えるためのデータ送信を含めたトータル的な診察サービスシステムが提案されている。
【０００５】
しかしながら、来院する患者の実際の診察時間の変動に正確に対応させることが難しく、即ち、初診患者の診察時間の変動幅は、再診患者の診察時間の変動幅に比べて非常に大きくなってしまうので、初診患者と再診患者の両方の予約管理を円滑に行うことが難しいという難点がある。
【０００６】
一方、特開２００１−１９５５２０に開示されている「医療検診システム、診察予約システム、医療検診管理方法および診察予約管理方法」は、インターネット回線を介して病院のホームページを閲覧可能にさせ、医師が診断用に使用する問診票をホームページに表示させ、当該の問診票に対するアクセスを行って受信した問診票を担当の医師に宛てて送信（通知）すると共に、通知された問診票を医師の判断に基づいて作成した診断書を作成し、その診断書をインターネット回線を介して問診票を記入した患者に送信することによって、病院に出向かなくても問診票の伝達と当該問診票の内容に基づく医師の判断情報を患者に伝達することができる。これと同時的に、診察が必要である旨の判断が医師によってなされた場合には、実際に来院する日時の予約を行うことにも対応し得るようなシステムになっている。
【０００７】
【発明が解決しようとする課題】
従来の医療検診管理システムは、患者の側から病院のシステムにアクセスすることによって、来院せずに問診票の内容を医師に伝達し、これを伝達された医師が判断して得られた診断書を患者の側に伝達することができる優れたシステムであるものの、初診患者が利用するということを想定しているために再診患者が利用するには充分でない面がある。
【０００８】
そこで、本発明の目的は、患者が実際に病院に出向くことなく、再診が必要であるか否かを病院の医師に判断してもらい、その結果を患者に伝達し再診が必要なときのみに病院に出向くことができ、無駄な労力を患者に強いることのない「再診患者の医療検診管理装置」及び「再診患者の医療検診管理方法」を提供することにある。
【０００９】
【課題を解決するための手段】
前記課題を解決するために、本発明による再診患者の医療検診管理装置及び方法は、次に記載するような特徴的な構成を採用している。
【００１０】
（１）初診済みの患者の有する通信端末からインターネット回線等の通信ネットワークを利用し病院側と通信し得る通信手段と、
初診時または前回診察した結果に基づいて医師が作成した最新問診票に対応する最新問診データを再診が必要な患者に前記通信手段を用いて送信する第１手段と、
前記最新問診票を受信した患者に当該最新問診票への回答を促し、前記患者が前記最新問診票に回答した問診回答データを前記病院宛てに前記通信手段を用いて送信する第２手段と、
前記問診回答データを受信した医師が直ちに再診が必要と判断したときに、該当患者宛てに再診必要通知データを前記通信手段を用いて送信する第３手段と、
前記問診回答データを受信した医師が再診の必要がないと判断したときに、該当患者宛てに当面方針通知データを前記通信手段を用いて送信する第４手段と、
前記第１乃至第４手段のそれぞれに基づくデータを格納して診察管理する管理手段とを具備する再診患者の医療検診管理装置。
【００１１】
（２）初診済みの患者の有する通信端末からインターネット回線等の通信ネットワークを利用し病院側に設けられたホームページに対して通信し得る通信手段と、
初診時または前回診察した結果に基づいて医師が作成した最新問診票に対応する最新問診データを再診が必要な患者に前記通信手段を用いて前記ホームページに掲載する第５手段と、
前記ホームページに掲載された前記最新問診票への回答を促し、前記患者が前記最新問診票に回答した問診回答データを前記ホームページを介して病院側に前記通信手段を用いて送信する第６手段と、
前記問診回答データを閲覧した医師が直ちに再診が必要と判断したときに患者宛ての再診必要通知データを前記ホームページに掲載する第７手段と、
前記問診回答データを前記ホームページを介して閲覧した医師が再診の必要がないと判断したときに、該当患者宛てに当面方針通知データを前記通信手段を用いて前記ホームページに掲載する第８手段と、
前記第５乃至第８手段のそれぞれに基づくデータを格納して診察管理する再診患者の医療検診管理装置。
【００１２】
（３）前記問診回答データを受信した医師が直ちに再診が必要と判断したときに、該当患者宛てに再診日時予約依頼データを前記通信手段を用いて送信する第９手段と、
前記再診日時予約依頼データを前記通信手段を介して受信した該当患者が再診日時予約設定データを前記病院宛てに前記通信手段を用いて送信する第１０手段とを付加して構成すると共に、
前記管理手段は、前記第９手段と前記第１０手段のそれぞれに基づくデータを格納して診察管理する手段を付加して構成する上記（１）の再診患者の医療検診管理装置。
【００１３】
（４）前記問診回答データを前記ホームページを介して閲覧した医師が直ちに再診が必要と判断したときに、該当患者宛ての再診日時予約依頼データを前記ホームページに掲載する第１１手段と、
前記ホームページに掲載された再診日時予約設定データを閲覧した該当患者が再診日時予約設定データを前記前記ホームページを介して病院宛てに前記通信手段を用いて送信する第１２手段とを付加して構成すると共に、
前記管理手段は、前記第１１手段と前記第１２手段のそれぞれに基づくデータを格納して診察管理する手段を付加して構成する上記（２）の再診患者の医療検診管理装置。
【００１４】
（５）前記再診必要通知データ及び／または前記当面方針通知データは、患者に付与された薬剤の残り状況を加味して形成する上記（１）乃至（４）のいずれかの再診患者の医療検診管理装置。
【００１５】
（６）初診済みの患者の有する通信端末からインターネット回線等の通信ネットワークを利用し病院側と通信し得る通信ステップと、
初診時または前回診察した結果に基づいて医師が作成した最新問診票に対応する最新問診データを再診が必要な患者に前記通信ステップを用いて送信する第１ステップと、
前記最新問診票を受信した患者に当該最新問診票への回答を促し、前記患者が前記最新問診票に回答した問診回答データを前記病院宛てに前記通信ステップを用いて送信する第２ステップと、
前記問診回答データを受信した医師が直ちに再診が必要と判断したときに、該当患者宛てに再診必要通知データを前記通信手段を用いて送信する第３ステップと、
前記問診回答データを受信した医師が再診の必要がないと判断したときに、該当患者宛てに当面方針通知データを前記通信手段を用いて送信する第４ステップと、
前記第１乃至第４ステップのそれぞれに基づくデータを格納して診察管理する管理ステップとを有する再診患者の医療検診管理方法。
【００１６】
（７）初診済みの患者の有する通信端末からインターネット回線等の通信ネットワークを利用し病院側に設けられたホームページに対して通信し得る通信ステップと、
初診時または前回診察した結果に基づいて医師が作成した最新問診票に対応する最新問診データを再診が必要な患者に前記通信手段を用いて前記ホームページに掲載する第５ステップと、
前記ホームページに掲載された前記最新問診票への回答を促し、前記患者が前記最新問診票に回答した問診回答データを前記ホームページを介して病院側に前記通信手段を用いて送信する第６ステップと、
前記問診回答データを閲覧した医師が直ちに再診が必要と判断したときに患者宛ての再診必要通知データを前記ホームページに掲載する第７ステップと、
前記問診回答データを前記ホームページを介して閲覧した医師が再診の必要がないと判断したときに、該当患者宛てに当面方針通知データを前記通信手段を用いて前記ホームページに掲載する第８ステップと、
前記第５乃至第８ステップのそれぞれに基づくデータを格納して診察管理する管理ステップとを有する再診患者の医療検診管理方法。
【００１７】
（８）前記再診必要通知データ及び／または前記当面方針通知データは、患者に付与された薬剤の残り状況を加味して形成する上記（６）または（７）の再診患者の医療検診管理方法。
【００１８】
【発明の実施の形態】
以下、本発明の一実施の形態について図面を用いて詳細に説明する。先ず、一実施の形態による再診患者の医療検診管理装置及び方法の構成について説明する。
【００１９】
再診患者の医療検診管理装置の概略構成を示す図１において、医療検診システムは、診察予約端末１、問診データベース２、各医師端末３、及び問診データ管理端末４の４つの構成部材を、ＬＡＮ回線等の病院内ネットワークで相互接続して構成され、問診データ管理端末４とユーザ端末５を公衆回線で相互接続して構成される。
【００２０】
診察予約管理端末１は、病院内の診察予約スケジュールを管理するために設けられた、パソコン等で構成される情報処理装置である。問診データベース２は、病院に訪れて診察／診療した患者に関する個人情報と診察時の問診内容ばかりでなく、本システムで管理する問診データを保持するハードディスク等の大容量記憶装置で構成されるファイル装置である。各医師端末３は、患者に対する問診項目を入力したり、患者からの問診回答データやカルテ情報を参照するためのパソコン等で構成される情報処理装置である。問診データ管理端末４は、再診が必要な患者へ問診データを送信したり、患者からの送信される回答データを受信するときの制御を行うためのワークステーション・サーバ等の情報処理装置によって構成されている。
【００２１】
ユーザ端末５は、患者の自宅等に備えられたパソコン等の情報処理装置で構成され、本システムによるサービスの提供を受けるため、再診患者用の医療検診システムに専用のアプリケーションプログラムを常駐させ、自動的にインターネット回線を用いて病院からの問診データをアップロードして患者認証を行った後に病院のホームページを表示させ、問診回答データの送信やデータ送受信時のセキュリティ保護、診察実施時の日時連絡表示、診察未実施時の当面の方針を通知・表示する機能を有する。
【００２２】
このような医療検診システムが設けられた病院における診察時間帯は、例えば図２に示すように、初診者用時間帯と再診者用時間帯が分けられて設定され、時間帯の分け方については、ＡＭ９：００とＡＭ１１：００とＰＭ１：００に区分けし、区分けされた診察時間帯の切替えがスムーズになるように患者１人当たりの平均診察時間を考慮し、実診療時間が長引いても後程の診療予定の大幅なずれが生じないように、各時間帯の節目の前にマージン時間帯を設けている。
【００２３】
なお、各時間帯の分け方は、病院・地域の実情に合わせたり、診療科目の種類（内科、外科、泌尿器科等々）に合わせて適宜の時間帯もしくは半日単位、１日単位で分けても良いことは勿論である。
【００２４】
次に、本形態の医療検診システムにおける再診患者の診察予約管理の動作を図３に示すフローチャートを用いて説明する。
【００２５】
病院にて医師から初診を受けたときに、再診が必要と認定された再診患者は病院の医療検診システムを構成する問診データ管理端末４に問診データ送受信対象者として登録され、ユーザ端末の初期設定を行う（ステップＳ１）。なお、治療経過確認のため例えば３日後に再診が必要な患者の場合等に予め再診日時が確定できるときには、本システムの対象とはならず、別途に設けられ、または問診データベース２の一部に設けられたデータベースに、本システムとは別に用いるためのデータ格納が行われる。
【００２６】
次にステップＳ２に進み、初診もしくは再診が行われてから一定期間が経過した後、再度の診察／診療が必要かどうかを判定するために病院の問診データ管理端末４から公衆回線を介して患者の自宅等に設置されたユーザ端末５へ問診データをアップロードし、これをユーザ端末５のディスプレイ（不図示）に表示させる。
【００２７】
表示される画面は、例えば図４に符号ａで示す問診票であり、担当医師が前回の診察結果に基づいて作成した問診項目を列挙したもので、複数の質問項目で形成され、例えば「質問１」として「お薬を服用して、その後症状は変わりましたか？」という再診患者への問い掛けに対する回答を選択肢の「良くなった」「変わりません」「悪くなった」の中から選択させ、以下同様に種々の問い掛けに対する回答を選択肢の中から選択させる。
【００２８】
問診票の質問項目としては選択肢の中から選択させる形式のみならず、例えば「質問１９」に示すように「現在の体重を入力して下さい」という問い掛けに対して再診患者の体重を数値で記入させたり、「質問２０」に示すように「現在の体温を入力して下さい」という問い掛けに対して再診患者から数値で記入させる形式がある。
【００２９】
ステップＳ２にて患者のユーザ端末５にアップロードされた問診票ａに対して該当する回答を選択または記入して、回答内容が確定されたときに送信ボタンをクリック選択することによって回答内容がステップＳ３としてユーザ端末５から問診データ管理端末４に公衆回線を介して送信され、次のステップＳ４に進む。
【００３０】
ステップＳ４は、患者から送信された回答内容を問診データ管理端末４で受信し、病院内ネットワークを介してその受信内容を問診データベース２に保存し、これと同時的に、当該患者を担当する医師に該当する各医師端末３への通知がなされ、患者からの問診回答内容を該当の各医師端末３に表示して次のステップＳ５に進む。
【００３１】
ステップＳ５は、担当の医師が問診回答を検討し、直ちに診察が必要かどうか判断するもので、直ちに診察が必要な場合（Ｙｅｓの場合）には、ステップＳ６に進んで再診日時予約とその登録処理を行わせるように各医師端末３から問診データ管理端末４に病院内ネットワークを介して指示し、その後、ステップＳ７に進んで予約日時を通知する。
【００３２】
担当の医師が問診回答を検討する動作ステップ（ステップＳ５）は、患者の症状や前回診察の日時を判断材料とするのみならず、患者に対して付与された薬剤等がある場合には、その残量も加味して総合的に「直ちに診察が必要か否か」を判断する。
【００３３】
ステップＳ６にて行われた患者への再診依頼通知は、例えば図５に符号ｂで示す再診の案内画面のように、「直ちに診察が必要ですので指定日時にご来院下さい。指定日時のご都合をお聞かせ下さい」という旨の案内をすると共に、その回答を第１選択肢の「上記日時で承知致しました。」と第２選択肢の「上記日時は都合が悪いため、以下の日時を希望します。」から選択させて次のステップＳ８に進む。
【００３４】
ステップＳ８は、第１と第２選択肢のいずれが選択されたかを判定するもので、換言すれば「予約日時で患者はＯＫ？」かを判定するもので、第１選択肢が選択されたと判定されたとき（Ｙｅｓの場合）にはステップＳ９に進んで、再診日時が決定され、その旨のデータが問診データベース２に格納され一連の動作が完了する。
【００３５】
一方、医師の判断により「直ちに再診が必要」でないと判定された場合（ステップＳ５でＮｏの場合）にはステップＳ１０に進んで、問診データ管理端末４から公衆回線を介してユーザ端末５に向けて当面の方針が通知され、具体的には、例えば図６に示す符号ｃのような「問診結果のご案内」というタイトルの表示がユーザ端末５になされ、「回答内容を確認した結果、しばらく様子見とします」という旨の文面内容と、「約１週間の後に問診票をアップロードします」という旨の文面内容が表示され、その内容の確認を促し、確認ボタンをクリック選択することによって「問診結果のご案内」というタイトルの内容を患者が確認済みである旨のデータがユーザ端末５から公衆回線を介して問診データ管理端末４に送信され、病院ネットワークを介して問診データベース２にデータ格納される。
【００３６】
なお、ステップＳ５は、医師の判断によって「直ちに再診が必要」であるか否かを判断するものであるが、薬剤の付与だけで事足りると医師が判断した場合には、薬剤の処方箋を再診患者に対して発行して病院に受け取りに来てもらう依頼をしたり、患者の都合の良い場所にある薬局で処方してもらう依頼をしても良いことは勿論である。
【００３７】
ステップＳ１０が実行されると前述のステップＳ２に戻され、ステップＳ２以降が前述同様に実行される。
【００３８】
他方、ステップＳ８で、第２選択肢が選択されたと判定されたとき（Ｎｏの場合）には、ステップＳ１１に進んで予約日時の調整処理が行われ、具体的には、前述の第２選択肢が選択されたときに希望の日と時間の入力が促され、ステップＳ７に戻されて以降のステップＳ８，Ｓ９が前述同様に実行されて再診日時が決定され、その旨のデータが問診データベース２に格納されて一連の動作が完了する。
【００３９】
今まで説明した形態におけるユーザ端末５は、患者宅にある汎用パソコン等の情報処理装置を患者が操作することを想定しているが、患者が自ら操作し、医療検診システムの専用アプリケーションの初期設定操作を行う場合の初期設定操作、例えばインターネット回線に接続して病院のホームページを表示させ、患者ＩＤや患者パスワード等々の入力を行った後に医療検診システムにアクセスさせるまでの一連の初期設定操作が、比較的に困難な高齢者等であった場合には、専用プログラムソフトを格納させ、「問診票の受信、問診票の回答内容の送信、再診案内の受信、問診結果の受信」という一連の基本動作を実行できる携帯情報端末装置を病院から患者に貸し出して使用させることによって、一連の初期設定の動作を著しく簡略化もしくは省略することができる。
【００４０】
また、ユーザ端末５に対して、患者ＩＤや患者パスワード等々の認証の入力を要求することによって、患者のセキュリティを保つことができ、ユーザ端末５の１台をマルチユーザ仕様にし各人の認証の設定を行って、セキュリティを保った状態で複数患者が共同利用することができる。
【００４１】
【発明の効果】
以上の説明で明らかなように、本発明による再診患者の医療検診管理装置及び方法は、最新の問診データをインターネットにより病院の端末から患者の端末にアップロードし、回答を記入した後に再度病院の端末へ返信することで、病院側では問診回答データ及び場合によっては薬剤の残り状況を加味し、直ちに再診が必要かどうかを判断し、診察が必要な場合は診察日時を通知しているので、再診が必要な患者が症状の様子を見てもらうために何度も来院して診察を待つ時間を節約できるばかりでなく、他の来院患者の待機時間低減と病院施設の混雑緩和を図ることができる。
【００４２】
従って、第１の効果は、再診が必要な患者が、現在の症状を診てもらうために何度も来院して診察を待つ必要がなく、最小限の来院回数に押さえることができるということである。
【００４３】
第２の効果は、ある時間における患者の来院集中化を防ぎ平準化することによって待機時間と診察時間の低減と病院施設の混雑緩和、待合室での他の患者からによる病気感染防止を図ることができるということである。
【００４４】
第３の効果は、継続治療が必要な患者の最新の症状を医師が迅速に医師の手元にある端末で把握することができるということである。
【００４５】
従って、本発明によれば、患者が実際に病院に出向くことなく、再診が必要であるか否かを病院の医師に判断してもらい、その結果を患者に伝達し再診が必要なときのみに病院に出向くことができ、無駄な労力を患者に強いることのない再診患者の医療検診管理装置及び医療検診管理方法を提供することができる。
【図面の簡単な説明】
【図１】本発明による再診患者の医療検診管理装置の概略構成を示すブロック回路図である。
【図２】病院における診察時間帯の一例を示す線図である。
【図３】図１に示される再診患者の医療検診管理装置の動作を説明するためのフローチャートである。
【図４】図１に示される再診患者の医療検診管理装置において用いられる問診票の表示画面の一例を示す図である。
【図５】図１に示される再診患者の医療検診管理装置において用いられる再診の案内票の表示画面の一例を示す図である。
【図６】図１に示される再診患者の医療検診管理装置において用いられる問診結果の案内票の表示画面の一例を示す図である。
【符号の説明】
１　診察予約端末
２　問診データベース
３　各医師端末
４　問診データ管理端末
５　ユーザ端末
【図１】
2004029896.tif 000003
【図２】
2004029896.tif 000004
【図３】
2004029896.tif 000005
【図４】
2004029896.tif 000006
【図５】
2004029896.tif 000007
【図６】
2004029896.tif 000008